(57)【要約】      （修正有）【課題】動物を捕獲し安全に処理する動物捕獲箱を提供する。【解決手段】捕獲箱本体１内の餌を発見して動物が捕獲箱侵入口から侵入し、さらに捕獲箱本体内の捕獲筒２２に侵入し餌に近づいたとき、捕獲筒が捕獲筒支点棒１７を支点にして捕獲餌室１５側が下降し傾く。一方侵入口側が上昇し傾くと捕獲箱侵入口の扉キー１０が移動し侵入口扉７が落下し閉まる。捕獲後動物が逃げ様と侵入口へ移動した時、捕獲餌室側が下降し傾いた捕獲筒が元に戻ることにより扉キーが落下した捕獲箱侵入口扉の上側に移動し扉の開を阻止し捕獲箱内から開ける事ができない。捕獲箱から捕獲筒を取り出し安全に処理する構造であることを特徴とする。【選択図】図１
0003189930.tif 000002
【実用新案登録請求の範囲】
【請求項１】
捕獲餌室と該捕獲餌室に一体連結した捕獲室とからなる動物捕獲箱において、該捕獲室内に捕獲筒を有する構造を特徴とする動物捕獲箱。
【請求項２】
前記捕獲筒が、前記捕獲餌室側は金網又は鉄格子で塞がれ、捕獲動物逃亡防止用の捕獲筒蓋を有する構造であることを特徴とする請求項１記載の動物捕獲箱。
【請求項３】
前記捕獲筒の軸上に支点とする捕獲筒支点棒を該軸直角に設けることを特徴とする請求項１又は２記載の動物捕獲箱。
【請求項４】
前記捕獲筒の捕獲筒支点棒と前記捕獲室の捕獲保持ブロック５の２箇所で支えた該捕獲筒の侵入口が該捕獲筒支点棒を支点として上昇し傾き、扉キーピン１１を介し扉キー１０を駆動する構造を特徴とする請求項１又は２又は３記載の動物捕獲箱。
【請求項５】
前記捕獲筒の侵入口が前記捕獲筒支点棒を支点として上昇し傾き、前記動物捕獲箱の侵入口扉を落下閉じ、該侵入口扉落下後、該捕獲筒が元に戻り、該侵入口扉の開を阻止する扉キー１０を駆動する構造を特徴とする請求項１又は２又は３又は４記載の動物捕獲箱。
【請求項６】
前記動物捕獲箱の侵入口に前記侵入口扉を落下閉じ、該侵入口扉落下後、該侵入口扉の開を阻止する扉キー１０を設けることを特徴とする請求項１又は２又は３又は４又は５記載の動物捕獲箱。
【請求項７】
前記動物捕獲箱の侵入口扉が開の時、前記捕獲餌室の餌が該侵入口扉側からと該侵入口反対面からの２方向から見え、その他の方向からは見えない構造を特徴とする請求項１又は２又は３又は４又は５又は６記載の動物捕獲箱。
【請求項８】
前記動物捕獲箱の侵入口扉の反対側面に金網又は鉄格子を用いて塞いだ壁を設けることを特徴とする請求項１又は２又は３又は４又は５又は６又は７記載の動物捕獲箱。
【請求項９】
前記捕獲餌室の餌は、動物が捕獲前も捕獲後も取れない構造を特徴とする請求項１又は２又は３又は４又は５又は６又は７又は８記載の動物捕獲箱。
【考案の詳細な説明】
【技術分野】
【０００１】  本考案は、山、畑、庭等の平坦な場所に餌を動物捕獲箱内に置き設置する。動物が餌を取に動物捕獲箱内捕獲筒に侵入し、さらに餌に近づいたとき、侵入口扉が閉じ動物を捕獲するものである。
【背景技術】
【０００２】  金網や鉄格子の捕獲おりで侵入動物が餌に接触した時に侵入口の扉が閉じる構造で捕獲後、捕獲おり内で動物が自由に動ける構造の捕獲おり（例えば特許文献１参照）等が提案されているが、捕獲後自由に動けるので逃げたり、取り出しが簡単にできないといった課題はまだ残されたままである。
【先行技術文献】
【特許文献】
【０００３】
【特許文献１】実用新案登録第３０８２９８４号公報
【考案の概要】
【考案が解決しようとする課題】
【０００４】  本考案は、設置が簡単にでき捕獲後動物が自由に動くことなく、動物を簡単に取り出すことができ、さらに処分が安全簡単にできることを、解決しようとするものである。
【課題を解決するための手段】
【０００５】  金網や鉄格子で周囲を囲まれた捕獲おりで侵入動物が餌に接触した時、餌に到達する迄に侵入口扉が閉まるスイッチにワイヤーなどが接続されており、該ワイヤーに侵入動物が接触した時、侵入口扉が閉まる構造のものが市販されている。【０００６】捕獲おりの中の餌が四方から見えると捕獲おりをゆすり振動等により動物が捕獲おりの外にいても侵入口扉が閉じることもあり、また捕獲おりが捕獲動物より大きく中で自由に動くと捕獲おりを壊したり侵入口扉をあけて逃げることもある。捕獲動物を取り出すとき暴れて安全に処置できないことがある。【０００７】  本考案の捕獲箱は、直方体で長手端面の侵入口の扉が閉じた状態では一対の扉ガイドが突きでている。捕獲室と捕獲餌室で構成。捕獲室は侵入口扉と一方は鉄格子の壁で捕獲餌室と接している。侵入口反対面には鉄格子の壁があり内側が捕獲餌室。捕獲室に捕獲筒があり捕獲筒の捕獲餌室側は鉄格子で塞いでいる。捕獲餌室の餌は侵入口面側と侵入口反対面の捕獲餌室から見ることとができるが側面、上面からは見えない。餌は鉄格子の壁があり動物は捕獲前、捕獲後も取ることができない。捕獲筒内で動物が侵入後、頭が侵入口側に反転出来ない大きさの捕獲筒を設置するとより安全に処分できる。捕獲筒を用いる事で動物が餌を発見した時、餌だけに集中させる効果と捕獲後動物の自由を奪うことになる。【０００８】動物が捕獲箱内の餌を侵入口側で発見し捕獲箱に侵入し、さらに捕獲筒に侵入し餌に近づくと捕獲筒の捕獲筒支点棒を支点にして捕獲餌室側が下降し傾く。逆に侵入口側が上昇し傾くことにより捕獲箱侵入口扉を止めている扉キーが移動し侵入口扉が落下し閉まり捕獲することができる。捕獲後動物が逃げようとして侵入口へ移動した時、捕獲餌室側が下降し傾いた捕獲筒が元に戻ることにより扉キーが落下した捕獲箱侵入口扉の上側に移動し扉を捕獲箱内から開けれない。【０００９】捕獲後、捕獲箱から捕獲箱蓋を取り外して捕獲筒の蓋を取り付けた後取り出す。【００１０】捕獲動物を殺処分する時は、動物が入った捕獲筒を水没、溺死させると簡単安全に処理ができる。
【考案の効果】
【００１１】  金網や鉄格子で囲まれた捕獲おりは捕獲動物から捕獲おり内の餌がどの方向からでも発見できる利点がある。しかし餌がどの方向からでも見える事と捕獲おりを捕獲動物が持ち易く侵入口を探す前に捕獲おりを揺すり振動を与える事により侵入口が閉じることがある。せっかく捕獲しても捕獲おり容積が捕獲動物に比べ大きすぎると自由に動き捕獲おりを壊したり侵入口扉を開けて逃げることもある。捕獲動物が自由に動くと捕獲おりから取り出す時、暴れて安全に処理できないこともある。【００１２】本考案の動物捕獲箱は、捕獲餌室と鉄格子の壁で捕獲室に分かれている。捕獲室には捕獲筒がある。餌は侵入口面側と侵入口反対面の捕獲餌室側から見ることができるが他面からは見えない構造。捕獲動物が餌を発見するのに不利ではあるが、餌を発見した時侵入口を見つけ易くなる。侵入口からは捕獲筒の向こうに餌が見えるので捕獲動物が餌に集中して侵入し易くなる。捕獲動物は捕獲筒の大きさ以下に限定されるが捕獲筒に白鼻心や狸のような体形の動物でやっと侵入できる大きさであれば捕獲筒の中で自由に動けず反転もできず頭は捕獲餌室側を向いている。捕獲筒の捕獲餌室側は鉄格子で塞いでいる。餌は捕獲後も取ることができない。【００１３】捕獲動物が侵入口面側で餌を発見し捕獲箱に侵入さらに捕獲筒に侵入し餌に近づいたとき捕獲筒が傾き侵入口の扉が閉まり捕獲できる。【００１４】捕獲後、捕獲箱の捕獲箱蓋を取り除き、捕獲動物は自由に動けないので安全に捕獲筒の蓋を取り付けることができる。動物捕獲箱の捕獲餌室側を下面にし垂直に立て捕獲動物を捕獲筒に入ったまま捕獲箱侵入口から取り出すと捕獲動物の頭は下を向いているので殺処分させる場合、頭の部分を水没させ溺死させることができる。
【図面の簡単な説明】
【００１５】
【図１】本考案の動物捕獲箱で捕獲箱蓋１２を除く平面図（ａ）、正面図（ｂ）右側面図（ｃ）、左側面図（ｄ）
【図２】本考案の動物捕獲箱動物捕獲時の正面図（ａ）、側面図（ｂ）
【図３】本考案の動物捕獲箱捕獲箱本体の平面図（ａ）、正面図（ｂ）、側面図（ｃ）
【図４】本考案の動物捕獲箱動物捕獲後、捕獲筒内の動物が侵入口側へ移動した時の正面図
【図５】本考案の動物捕獲箱の捕獲箱蓋１２正面図（ａ）、側面図（ｂ）
【図６】本考案の動物捕獲箱補獲筒本体の平面図（ａ）、正面図（ｂ）、下面図（ｃ）、側面図（ｄ）
【図７】本考案の動物捕獲箱捕獲筒本体へ捕獲筒蓋２０取り付け時の正面図（ａ）、側面図（ｂ）
【図８】本考案の動物捕獲箱の捕獲筒蓋２０平面図（ａ）、側面図（ｂ）
【図９】本考案の動物捕獲箱の捕獲箱侵入口扉７平面図（ａ）、側面図（ｂ）
【図１０】本考案の動物捕獲箱の捕獲筒鉄格子壁２３平面図（ａ）、側面図（ｂ）
【図１１】本考案の動物捕獲箱の餌室外壁２平面図（ａ）、側面図（ｂ）
【図１２】本考案の動物捕獲箱の餌室内壁３平面図（ａ）、側面図（ｂ）
【図１３】本考案の動物捕獲箱動物捕獲前の扉キー１０部位置関係の詳細図
【図１４】本考案の動物捕獲箱動物捕獲時の扉キー１０部位置関係の詳細図
【考案を実施するための形態】
【００１６】  本考案の動物捕獲箱は捕獲する動物が出没する場所に捕獲餌室１５に餌を置き捕獲箱侵入口扉７は開け設置する。動物が捕獲箱侵入口面側で餌を発見した時、侵入口から捕獲室１６に侵入し、次に捕獲筒２２に侵入する。さらに動物が餌に近づくと捕獲筒２２の捕獲餌室側が捕獲筒支点棒１７を支点にして下降する。逆に捕獲筒２２の侵入口側が上昇することにより扉キーピン１１を介し扉キーブロック１４にガイドされた扉キー１０が移動すると捕獲箱侵入口扉７から外れ扉が落下し閉まる。動物を捕獲できる。
【００１７】捕獲後動物が逃げようとして侵入口へ移動した時、捕獲餌室側が下降し傾いた捕獲筒２２が元に戻ることにより扉キー１０が落下した捕獲箱侵入口扉７の上側に移動し扉の開を阻止し捕獲箱内から開けれない。
【００１８】捕獲筒２２の捕獲餌室側は捕獲筒鉄格子壁２３で塞いでいる。捕獲前は、捕獲筒支点固定金具１３に取り付けられた捕獲筒支点棒１７が一対の捕獲筒支点ブロック６の間にはまり捕獲筒入口側は捕獲筒保持ブロック５の２か所で支えている。
【００１９】捕獲筒２２が左右にずれない様に捕獲筒案内ガイド４を設けている。捕獲箱侵入口扉７は一対の扉ガイドＲ８と扉ガイドＬ９の溝で案内されている構造。
【００２０】捕獲後、捕獲箱本体１から捕獲筒２２を取り出し処理は、捕獲箱蓋１２を取り除き、次に扉キーピン１１、扉キー１０も取り除き捕獲筒２２の侵入口に捕獲筒蓋２０の角穴を捕獲筒蓋Ｌ金具１８に入れ、引っかけ捕獲筒蓋ブロック１９に捕獲獲筒蓋蝶ボルト２１で固定した後に取り出す。
【００２１】捕獲筒を取り出す方法として捕獲箱本体１を垂直に立て行う事もできる。捕獲箱本体１の餌室外壁２の下面角を支点にして垂直に立て取り出すと捕獲した動物の頭は下側となり動物の自由をさらに奪いより安全に処理ができる。この時捕獲筒２２の落下距離を小さくする事、餌が捕獲時等に捕獲筒の動作を妨げない様に餌室内壁３を設けている。
【００２２】白鼻心、狸等の体形の動物を捕獲の時、動物の頭を捕獲筒内で侵入口側に反転できないない大きさの捕獲筒を設置しておけば捕獲筒内で自由に動けない。殺処分する時、捕獲筒内で動物の頭が下側になるようにして捕獲筒を水没、溺死させ安全に処理することができる。
【００２３】捕獲箱の捕獲餌室面側で餌を初めて発見した時は、鉄格子の餌室外壁２があるので餌を取れない。捕獲箱の周囲で餌を探し捕獲箱侵入口面側で餌を再発見することになる。捕獲前、捕獲後も動物は餌を取ることができない。
【実施例】
【００２４】  白鼻心、狸等を捕獲する場合で説明する。捕獲筒は捕獲動物が侵入できる大きさで捕獲した動物が捕獲筒内で頭を侵入口側に反転出来ない大きさの捕獲筒を準備する。捕獲箱本体が安定する場所に、図１の様にし捕獲餌室１５の餌室内壁３近くに餌を置き、捕獲箱侵入口扉７を開けて、捕獲箱蓋１２を捕獲箱本体１に取り付け設置する。【００２５】動物が捕獲獲箱の侵入口側で餌を発見し捕獲箱に侵入し、さらに捕獲筒２２に侵入し捕獲餌室１５の餌を取ろうと近づくと、捕獲筒支点棒１７を支点とし捕獲筒２２の捕獲餌室１５側が下降する。一方捕獲筒２２侵入口が上昇により扉キーピン１１、扉キー１０が捕獲筒２２側に移動すると、捕獲箱侵入口扉７が落下し閉まり捕獲できる。【００２６】捕獲箱蓋１２を取り外し、扉キーピン１１を抜き取り、扉キー１０も取り外す。捕獲筒２２に捕獲筒蓋２０で蓋をし捕獲筒蓋蝶ボルト２１で固定する。【００２７】捕獲筒２２を捕獲箱本体１から取り出す。【００２８】捕獲動物を殺処分する場合は捕獲筒２２の捕獲筒鉄格子壁２３を下にして動物の頭が浸かるまで水没させ溺死処理する。
【符号の説明】
【００２９】  １  捕獲箱本体
２  餌室外壁
３  餌室内壁
４  捕獲筒案内ガイド
５  捕獲筒保持ブロック
６  捕獲筒支点ブロック
７  捕獲箱侵入口扉
８  扉ガイドＲ
９  扉ガイドＬ
１０  扉キー
１１  扉キーピン
１２  捕獲箱蓋
１３  捕獲筒支点固定金具
１４  扉キーブロック
１５  捕獲餌室
１６  捕獲室
１７  捕獲筒支点棒
１８  捕獲筒蓋Ｌ金具
１９  捕獲筒蓋ブロック
２０  捕獲筒蓋
２１  捕獲筒蓋蝶ボルト
２２  捕獲筒
２３  捕獲筒鉄格子壁
【図１】
0003189930.tif 000003
【図２】
0003189930.tif 000004
【図３】
0003189930.tif 000005
【図４】
0003189930.tif 000006
【図５】
0003189930.tif 000007
【図６】
0003189930.tif 000008
【図７】
0003189930.tif 000009
【図８】
0003189930.tif 000010
【図９】
0003189930.tif 000011
【図１０】
0003189930.tif 000012
【図１１】
0003189930.tif 000013
【図１２】
0003189930.tif 000014
【図１３】
0003189930.tif 000015
【図１４】
0003189930.tif 000016
【手続補正書】
【提出日】平成26年1月15日(2014.1.15)
【手続補正１】
【補正対象書類名】実用新案登録請求の範囲
【補正対象項目名】請求項２
【補正方法】変更
【補正の内容】
【請求項２】
前記捕獲筒が、該捕獲筒の前記捕獲餌室側の一方の開口部を塞ぐ金網又は鉄格子と、もう一方の開口部に捕獲動物逃亡防止用の捕獲筒蓋を一体連結できる侵入口を有する構造であることを特徴とする請求項１記載の動物捕獲箱。
【手続補正２】
【補正対象書類名】実用新案登録請求の範囲
【補正対象項目名】請求項３
【補正方法】変更
【補正の内容】
【請求項３】
前記捕獲筒が、該捕獲筒の軸上に支点とする該軸直角に設けられた捕獲筒支点棒を有する構造であることを特徴とする請求項１又は２記載の動物捕獲箱。
【手続補正３】
【補正対象書類名】実用新案登録請求の範囲
【補正対象項目名】請求項４
【補正方法】変更
【補正の内容】
【請求項４】
前記捕獲筒の侵入口が、前記捕獲筒支点棒と前記捕獲室に設けられた捕獲保持ブロック（５）の２箇所で支えられた構造で、該捕獲筒の侵入口が該捕獲筒支点棒を支点として昇降して傾き、扉キーピン（１１）を介して扉キー（１０）を駆動する構造であることを特徴とする請求項３記載の動物捕獲箱。
【手続補正４】
【補正対象書類名】実用新案登録請求の範囲
【補正対象項目名】請求項５
【補正方法】変更
【補正の内容】
【請求項５】
前記捕獲箱の捕獲室が、前記捕獲筒の侵入口の開閉に連動し昇降開閉式侵入口扉と、扉キー（１０）と扉キーピン（１１）を介して一体連結した侵入口を有する構造であり、該捕獲筒の侵入口が、捕獲動物が前記捕獲支点棒の位置より奥に侵入すれば、該捕獲支点棒を支点として上昇し傾き該動物捕獲箱の捕獲室の侵入口扉を落下閉じ、該侵入口扉落下閉じ後、前記侵入した捕獲動物が該捕獲支点棒の位置より該捕獲筒の侵入口側に戻ると該捕獲室の侵入口扉の開を阻止する扉キー（１０）が駆動する構造であることを特徴とする請求項１又は２又は３又は４記載の動物捕獲箱。
【手続補正５】
【補正対象書類名】実用新案登録請求の範囲
【補正対象項目名】請求項６
【補正方法】変更
【補正の内容】
【請求項６】
前記動物捕獲箱の捕獲室が、該捕獲室の侵入口扉を落下閉じ後は該侵入口扉の開を阻止する扉キー（１０）を有する構造であることを特徴とする請求項１又は２又は３又は４又は５記載の動物捕獲箱。